(57)【要約】【課題】輸送時の振動等が加わった場合であっても、インクリボンに適度なテンションが付与されるようにすることで、常にインクリボンの巻緩みを防止することができるようにする。【解決手段】インクリボン３０の巻出しスプール１４は、傾斜角θを有する巻出しギヤ１６を有しており、巻取りスプール１７は、巻出しギヤ１６と逆向きの傾斜角を有する巻取りギヤ１９を有している。そして、バネ部材１３ａの付勢によって巻出しギヤ１６をリブ１２ａに嵌合させ、巻出しスプール１４に巻出し方向と逆方向の回転力を付与するとともに、バネ部材１３ｂの付勢によって巻取りギヤ１９をリブ１２ｂに嵌合させ、巻取りスプール１７に巻取り方向の回転力を付与する。【選択図】図４
2006315273.tif 000002
【特許請求の範囲】
【請求項１】
インクリボンを内部に収容するカセットケースと、
前記カセットケースに取り付けられ、前記インクリボンを巻き出す巻出しスプールと、
前記カセットケースに取り付けられ、前記インクリボンを巻き取る巻取りスプールと
を備え、
前記巻出しスプールから巻き出された前記インクリボンを前記巻取りスプールで巻き取るようにしたインクリボンカセットであって、
前記巻出しスプールは、傾斜角を有する巻出しギヤを有し、
前記巻取りスプールは、前記巻出しギヤと逆向きの傾斜角を有する巻取りギヤを有し、
前記カセットケースは、前記巻出しギヤ及び前記巻取りギヤにそれぞれ嵌合するリブと、前記巻出しギヤ及び前記巻取りギヤをそれぞれ前記リブに嵌合させるように付勢するバネ部材とを備え、
前記巻出しギヤと前記リブとの嵌合により、前記巻出しスプールに巻出し方向と逆方向の回転力が付与され、
前記巻取りギヤと前記リブとの嵌合により、前記巻取りスプールに巻取り方向の回転力が付与される
ことを特徴とするインクリボンカセット。
【請求項２】
請求項１に記載のインクリボンカセットにおいて、
前記巻出しスプール及び前記巻取りスプールは、前記インクリボンを案内する一対のフランジを備え、
前記巻出しギヤ及び前記巻取りギヤは、前記フランジの一方に形成されている
ことを特徴とするインクリボンカセット。
【請求項３】
請求項１に記載のインクリボンカセットにおいて、
前記巻出しギヤの傾斜角及び前記巻取りギヤの傾斜角は、３０°〜７５°である
ことを特徴とするインクリボンカセット。
【請求項４】
請求項１に記載のインクリボンカセットにおいて、
前記巻出しスプール及び前記巻取りスプールは、軸方向に移動可能であり、
前記バネ部材は、前記巻出しスプール及び前記巻取りスプールを軸方向に付勢する
ことを特徴とするインクリボンカセット。
【請求項５】
請求項４に記載のインクリボンカセットにおいて、
前記巻出しスプール及び前記巻取りスプールは、前記バネ部材の付勢側と反対側の端部が前記カセットケースから突出している
ことを特徴とするインクリボンカセット。
【発明の詳細な説明】
【技術分野】
【０００１】
本発明は、インクリボンを収容してプリンタに装着するインクリボンカセットに係るものであり、特に、輸送時の振動等によってインクリボンに巻緩みが発生することを防止できるようにしたインクリボンカセットに関するものである。
【背景技術】
【０００２】
従来から、インクリボンを用いて印画を行うプリンタとして、昇華型熱転写記録方式のプリンタが知られている。ここで、昇華型熱転写記録方式のプリンタに用いられるインクリボンは、一般的に、ポリエステル系のフィルムからなる支持体の一方の面上に、昇華性又は熱拡散性の染料からなるインク層を有するとともに、支持体の他方の面上に、耐熱滑性層を有している。また、昇華型熱転写記録方式のプリンタに用いられる印画紙は、染料受容層を有している。そして、インクリボンと印画紙とを重ね合せ、画像情報に応じてプリンタのサーマルヘッドを加熱し、インクリボンのインク層から印画紙の染料受容層に染料を移行させることによって印画を行うようになっている。
【０００３】
このように、昇華型熱転写記録方式のプリンタは、熱エネルギーにより、インクリボンのインク層から印画紙の染料受容層に染料を移行させて印画を行うものであり、連続的な階調のフルカラー画像を形成することができるので、例えば、ビデオ画像をハードコピーする方法等として注目されている。また、消耗品であるインクリボンは、インクリボンカセットを介してプリンタに装着されるようになっており、新たなインクリボンを簡単に補充できるようにしている。
【０００４】
ここで、インクリボンカセットは、インクリボンを保護するものであり、インクリボンを内部に収容するカセットケースと、インクリボンを巻き出す巻出しスプールと、インクリボンを巻き取る巻取りスプールとを備えている。そして、使用開始当初の状態では、インクリボンは、カセットケースに取り付けられた巻出しスプールに巻き付けられた状態となっており、印画に伴って巻取りスプールに巻き取られる。
【０００５】
このようなインクリボンカセットは、プリンタに装着して印画を行った場合に、高い印画品質が得られるように、内部のインクリボンにシワやジャミング等を発生させないことが求められる。また、インクリボンが弛んでいると、インクリボンカセットをプリンタに装着する際に、弛んだインクリボンがプリンタの一部に接触して、インクリボンが折れたり、シワ等が発生してインクリボンが傷つく場合があるので、輸送時の振動等によって生ずるインクリボンの巻緩みを防止する必要がある。
【０００６】
すなわち、インクリボンの支持体には、１０μｍ以下の薄膜のフィルムが使用されることが多いため、シワや傷等が発生しやすいものとなっている。そして、フィルムに微細な傷等があると、印画中にその傷を起点としてフィルムが裂け、印画不良につながる場合がある。そのため、インクリボンに弛みを発生させないように、巻出しスプールや巻取りスプールをテープでカセットケースに貼り付けたり、テープに代わる別の部材によってインクリボンの巻緩みを防止するようにしている。
【０００７】
また、インクリボンカセットに巻緩み防止機構を設けた技術も知られている。例えば、巻緩み防止機構として、巻取りスプールの周壁に、放射方向に延びる第１壁と第１壁に対して傾斜された第２壁とを有する２つの係合溝を形成し、カセットケースに係止されたスプールバネの屈曲部を係合溝の１つに係合可能に構成することにより、インクリボンの巻取り方向と逆の方向に回転力が作用した場合に、スプールバネの屈曲部が係合溝に係合当接して、巻取りスプールの回転を禁止するように構成した技術がある（例えば特許文献１参照）。
【特許文献１】特開２００４−１１４５８９号公報
【発明の開示】
【発明が解決しようとする課題】
【０００８】
しかし、巻出しスプールや巻取りスプールをテープでカセットケースに貼り付けたり、テープに代わる別の部材によってインクリボンの巻緩みを防止するようにした場合には、テープや別の部材を付加するために、インクリボンカセットの製造工程が多くなる等、生産面での不都合がある。しかも、インクリボンカセットをプリンタに装着する前に、テープや別の部材をカセットケースから取り外さなければならず、使用者の使い勝手の面でも問題がある。
【０００９】
また、上記した特許文献１に記載の巻緩み防止機構では、巻取りスプールの回転を禁止することはできるが、インクリボンに適度なテンションを付与するものではないため、インクリボンの巻緩み防止として、十分なものとはいえない。すなわち、インクリボンが一度弛んでしまえば、いくら巻取りスプールの回転を禁止していても、発生した弛みを解消できるものではない。
【００１０】
したがって、本発明が解決しようとする課題は、巻出しスプールや巻取りスプールの回転を単に禁止するだけでなく、輸送時の振動等が加わった場合であっても、インクリボンに適度なテンションが付与されるようにすることで、常にインクリボンの巻緩みを防止することができるインクリボンカセットを提供することである。
【課題を解決するための手段】
【００１１】
本発明は、以下の解決手段によって、上述の課題を解決する。
本発明の１つである請求項１に記載の発明は、インクリボンを内部に収容するカセットケースと、前記カセットケースに取り付けられ、前記インクリボンを巻き出す巻出しスプールと、前記カセットケースに取り付けられ、前記インクリボンを巻き取る巻取りスプールとを備え、前記巻出しスプールから巻き出された前記インクリボンを前記巻取りスプールで巻き取るようにしたインクリボンカセットであって、前記巻出しスプールは、傾斜角を有する巻出しギヤを有し、前記巻取りスプールは、前記巻出しギヤと逆向きの傾斜角を有する巻取りギヤを有し、前記カセットケースは、前記巻出しギヤ及び前記巻取りギヤにそれぞれ嵌合するリブと、前記巻出しギヤ及び前記巻取りギヤをそれぞれ前記リブに嵌合させるように付勢するバネ部材とを備え、前記巻出しギヤと前記リブとの嵌合により、前記巻出しスプールに巻出し方向と逆方向の回転力が付与され、前記巻取りギヤと前記リブとの嵌合により、前記巻取りスプールに巻取り方向の回転力が付与されることを特徴とする。
【００１２】
（作用）
上記の発明においては、巻出しスプールは、傾斜角を有する巻出しギヤを有し、巻取りスプールは、巻出しギヤと逆向きの傾斜角を有する巻取りギヤを有している。そして、カセットケースに備えられたバネ部材により、カセットケースのリブが巻出しギヤ及び巻取りギヤにそれぞれ嵌合すると、巻出しスプールには、巻出し方向と逆方向の回転力が付与され、巻取りスプールには、巻取り方向の回転力が付与される。そのため、インクリボンに、常に適度なテンションが付与されることとなる。
【発明の効果】
【００１３】
上記の発明によれば、カセットケース内のインクリボンに、常に適度なテンションを付与することができる。そのため、インクリボンカセットの輸送時の振動等により、カセットケース内でインクリボンが巻き緩むように作用したとしても、インクリボンに弛みが発生することはない。したがって、インクリボンの弛みに起因するインクリボンの損傷を確実に防止することができる。
【発明を実施するための最良の形態】
【００１４】
以下、図面を参照して、本発明の一実施形態について説明する。
図１は、本実施形態のインクリボンカセット１０の外観を示す斜視図である。
図１に示すように、インクリボンカセット１０は、インクリボン（図示せず）を内部に収容するカセットケース１１と、インクリボンを巻き出す巻出しスプール１４と、インクリボンを巻き取る巻取りスプール１７とを備えている。そして、このインクリボンカセット１０は、昇華型熱転写記録方式のプリンタに装着され、使用される。
【００１５】
図２は、本実施形態のインクリボンカセット１０を装着する昇華型熱転写記録方式のプリンタ２０の外観を示す斜視図である。
図２に示すように、プリンタ２０は、直方体形状のプリンタ本体２１と、印画紙を収納する給紙カセット２２と、印画紙の排紙トレイ２３とを備えており、インクリボンカセット１０は、プリンタ本体２１の側面に設けられた蓋２１ａを開けた後、横からプリンタ本体２１の内部に挿入して装着するようになっている。
【００１６】
図３は、本実施形態のインクリボンカセット１０を装着したプリンタ２０の内部を示す概略の側面図である。
図３に示すように、プリンタ２０は、その内部にサーマルヘッド２４を備えるものであり、サーマルヘッド２４に配列された複数の発熱素子（抵抗素子）に通電した際の熱エネルギーを利用して、インクリボンカセット１０に収納されたインクリボン３０のインク層から印画紙４０の染料受容層に染料を移行させて印画を行う。
【００１７】
すなわち、インクリボン３０は、矢印のように回転する巻出しスプール１４から巻き出され、サーマルヘッド２４とプラテンローラ２５との間を通り、巻取りスプール１７に巻き取られて順次搬送されるようになっている。一方、印画紙４０は、給紙カセット２２（図２参照）から給紙され、サーマルヘッド２４とプラテンローラ２５との間を通り、排紙トレイ２３（図２参照）上に排紙されるようになっている。なお、印画紙４０は、キャプスタンローラ２６とピンチローラ２７とによって挟持され、キャプスタンローラ２６の回転駆動によって搬送される。
【００１８】
そして、プリンタ２０に印画指令が入力されると、上昇していたサーマルヘッド２４（図３の点線で示す状態）が下降し、プラテンローラ２５を押圧して、サーマルヘッド２４とプラテンローラ２５との間にインクリボン３０及び印画紙４０を挟持する（図３の実線で示す状態）。
【００１９】
この状態において階調データが入力されると、巻取りスプール１７の回転駆動によって巻出しスプール１４からインクリボン３０が巻き出されるとともに、キャプスタンローラ２６の回転駆動によって印画紙４０が搬送される。同時に、サーマルヘッド２４内の発熱素子（抵抗素子）が選択的に通電駆動される。すると、インクリボン３０のインク層から染料が印画紙４０の染料受容層に移行し、印画が行われる。
【００２０】
ここで、インクリボン３０に傷等があると、印画中にインクリボン３０が裂け、印画不良となる場合がある。そのため、インクリボン３０に傷等があってはならないが、インクリボン３０が弛んでいると、インクリボンカセット１０をプリンタ２０に装着する際に、インクリボン３０がプリンタ２０の一部に接触し、傷つく場合がある。
【００２１】
しかし、本実施形態のインクリボンカセット１０によれば、巻出しスプール１４に巻出し方向と逆方向の回転力が付与されるとともに、巻取りスプール１７に巻取り方向の回転力が付与されるので、インクリボン３０の巻緩みが効果的に防止され、インクリボン３０に弛みが発生することはなく、優れた印画品質が維持される。
【００２２】
図４は、本実施形態のインクリボンカセット１０の内部を示す平面図である。
図４に示すように、インクリボンカセット１０のカセットケース１１には、インクリボン３０を巻き出す巻出しスプール１４と、巻出しスプール１４から巻き出されたインクリボン３０を巻き取る巻取りスプール１７とが取り付けられている。そして、巻出しスプール１４及び巻取りスプール１７は、ともに、カセットケース１１内で軸方向に移動可能となっている。
【００２３】
ここで、巻出しスプール１４は、インクリボン３０の幅方向の移動を拘束し、案内する一対のフランジ１５（１５ａ，１５ｂ）を有しており、その片方のフランジ１５ａの外側には、巻出しギヤ１６が形成されている。そして、この巻出しギヤ１６は、図４のＡ部を拡大して示すように、傾斜角θを有するものとなっている。また、巻取りスプール１７も同様に、一対のフランジ１８（１８ａ，１８ｂ）を有しており、片方のフランジ１８ａの外側には、巻出しギヤ１６と逆向きの傾斜角（１８０°−θ）を有する巻取りギヤ１９が形成されている。
【００２４】
一方、カセットケース１１は、２つのリブ１２（１２ａ，１２ｂ）と、２つのバネ部材１３（１３ａ，１３ｂ）とを備えており、図４に示すように、バネ部材１３ａが巻出しスプール１４の端部を軸方向に付勢し、反対側の端部をカセットケース１１の側面から突出させるとともに、巻出しギヤ１６をリブ１２ａに嵌合させている。また、同様に、バネ部材１３ｂが巻取りスプール１７の端部を軸方向に付勢し、反対側の端部をカセットケース１１の側面から突出させるとともに、巻取りギヤ１９をリブ１２ｂに嵌合させている。
【００２５】
本実施形態のインクリボンカセット１０においては、このように、バネ部材１３ａの付勢により、傾斜角θを有する巻出しギヤ１６とリブ１２ａとが嵌合するようにしているので、常に、巻出しスプール１４に巻出し方向と逆方向の回転力が付与され、インクリボン３０の弛みが防止されるように作用する。すなわち、インクリボンカセット１０の輸送時の振動等により、バネ部材１３ａが伸縮することがあるが、バネ部材１３ａが縮んで巻出しスプール１４が巻出し方向に回転すると、リブ１２ａが巻出しギヤ１６の傾斜面を上ることとなる。すると、リブ１２ａと巻出しギヤ１６の傾斜面との関係で、バネ部材１３ａが伸びることによる付勢力は、巻出しギヤ１６の傾斜面からリブ１２ａを下らせるように作用する。その結果、巻出しギヤ１６には、巻出し方向と逆方向の回転力が発生し、インクリボン３０にバックテンションが付与されるのである。
【００２６】
また、本実施形態のインクリボンカセット１０は、バネ部材１３ｂの付勢により、巻出しギヤ１６と逆向きの傾斜角を有する巻取りギヤ１９とリブ１２ｂとが嵌合するようにしているので、常に、巻取りスプール１７に巻取り方向の回転力が付与され、インクリボン３０の弛みが防止されるように作用する。すなわち、インクリボンカセット１０の輸送時の振動等により、バネ部材１３ｂが伸縮することがあるが、バネ部材１３ｂが縮んで巻取りスプール１７が巻取り方向と逆方向に回転すると、リブ１２ｂが巻取りギヤ１９の傾斜面を上ることとなる。すると、リブ１２ｂと巻取りギヤ１９の傾斜面との関係で、バネ部材１３ｂが伸びることによる付勢力は、巻取りギヤ１９の傾斜面からリブ１２ｂを下らせるように作用する。その結果、巻取りギヤ１９には、巻取り方向の回転力が発生し、インクリボン３０にテンションが与えられるのである。
【００２７】
このように、バネ部材１３（１３ａ，１３ｂ）の付勢力は、巻出しギヤ１６の傾斜面及び巻取りギヤ１９の傾斜面により、巻出しスプール１４及び巻取りスプール１７の回転力に変換される。したがって、巻出しギヤ１６の傾斜角θ及び巻取りギヤ１９の傾斜角θ’（θ’＝１８０°−θ）は重要であり、巻出しギヤ１６ではθ＝３０°〜７５°、巻取りギヤ１９ではθ’＝１０５°〜１５０°が好ましい範囲である。
【００２８】
ここで、巻出しギヤ１６の傾斜角θが３０°未満であると、バネ部材１３ａの付勢力を相当に強くしなければ、変換される回転力が弱くなり、インクリボン３０に十分なバックテンションを与えることができなくなる。そのため、インクリボン３０の巻緩みを防止することができない場合がある。逆に、傾斜角θが７５°を超えると、付勢力を回転力に変換できる範囲が狭くなり、巻出しスプール１４がほとんど回転しなくなるので、インクリボン３０に十分なバックテンションを与えることができなくなる。そのため、インクリボン３０の巻緩みを防止することができない場合がある。
【００２９】
また、巻取りギヤ１９の傾斜角θ’が１５０°を超えると、バネ部材１３ｂの付勢力を相当に強くしなければ、変換される回転力が弱くなり、インクリボン３０に十分なテンションを与えることができなくなる。そのため、インクリボン３０の巻緩みを防止することができない場合がある。逆に、傾斜角θ’が１０５°未満であると、付勢力を回転力に変換できる範囲が狭くなり、巻取りスプール１７がほとんど回転しなくなるので、インクリボン３０に十分なテンションを与えることができなくなる。そのため、インクリボン３０の巻緩みを防止することができない場合がある。
【００３０】
なお、本実施形態のインクリボンカセット１０においては、巻出しギヤ１６及び巻取りギヤ１９が対称の傾斜角（巻出しギヤ１６は傾斜角θ、巻取りギヤ１９は１８０°−θ）を有するようにしているが、必ずしも両者の傾斜角を対称の角度とする必要はない。ただし、巻出しギヤ１６及び巻取りギヤ１９の両者に傾斜角を設けることは必須である。すなわち、何れか一方のみに傾斜角を設け、他方に傾斜角を設けないようにすると、他方の自由な回転を許すこととなり、いくら一方の傾斜角で付勢力を回転力に変換したとしても、インクリボン３０に十分なバックテンション（テンション）を与えることができなくなるので、インクリボン３０の巻緩みを防止することができない。
【００３１】
図５は、インクリボンカセット１０における巻出しギヤ１６の傾斜角θ及び巻取りギヤ１９の傾斜角θ’（θ’＝１８０°−θ）とインクリボン３０の巻緩みとの関係を示す表である。
図５に示すように、巻出しギヤ１６の傾斜角θが４５°（巻取りギヤ１９の傾斜角θ’が１３５°）の場合を実施例１とした。また、傾斜角θを３０°（θ’を１５０°）とした以外は実施例１と同様の構成のものを実施例２、同様に、傾斜角θを７５°（θ’を１０５°）としたものを実施例３、傾斜角θを２５°（θ’を１５５°）としたものを実施例４、傾斜角θを８０°（θ’を１００°）としたものを実施例５、傾斜なし（傾斜角θ及び傾斜角θ’を９０°）としたものを比較例１とした。
【００３２】
そして、実施例１〜実施例５、比較例１のインクリボンカセット１０の各側面に５Ｈｚ〜５０Ｈｚのサイン波の振動をそれぞれ２０分間加え、インクリボン３０の巻緩みの程度を目視で確認することによって評価した。なお、評価は、巻緩みが見られない良好なレベルを「Ａ」、少量の巻緩みが見られるが、巻緩みを取らずにプリンタ２０（図２参照）に装着してもインクリボン３０を傷つけないレベルを「Ｂ」、巻緩みが多く、インクリボン３０を傷つけずにプリンタ２０に装着するためには、別途、巻き戻すことが必要なレベルを「Ｃ」として分類した。
【００３３】
図５に示すように、巻出しギヤ１６の傾斜角θが４５°（巻取りギヤ１９の傾斜角θ’が１３５°）の実施例１の評価は「Ａ」、傾斜角θが３０°（傾斜角θ’が１５０°）の実施例２の評価も「Ａ」、傾斜角θが７５°（傾斜角θ’が１０５°）の実施例３の評価も「Ａ」であり、インクリボンカセット１０の輸送時を想定した振動の付与後も、巻緩みが見られない良好なレベルであることが確認できた。
【００３４】
また、傾斜角θが２５°（傾斜角θ’が１５５°）の実施例４の評価は「Ｂ」、傾斜角θが８０°（傾斜角θ’が１００°）の実施例５の評価も「Ｂ」であり、少量の巻緩みが見られるが、巻緩みを取らずにプリンタ２０（図２参照）に装着できるレベルであることが確認できた。したがって、傾斜角θが２５°（傾斜角θ’が１５５°）の場合や、傾斜角θが８０°（傾斜角θ’が１００°）の場合でも問題はないが、傾斜角θは、３０°〜７５°（傾斜角θ’は、１０５°〜１５０°）であることが好ましい。
【００３５】
しかし、傾斜なし（傾斜角θ及び傾斜角θ’が９０°）の比較例１の評価は「Ｃ」であり、巻緩みが多く、インクリボン３０を傷つけないように巻き戻すことが必要なレベルであった。したがって、巻出しギヤ１６（巻取りギヤ１９）には、傾斜角を設ける必要がある。
【００３６】
このように、実施例１〜実施例５は、傾斜角θを有する巻出しギヤ１６及び傾斜角θ’（θ’＝１８０°−θ）を有する巻取りギヤ１９により、インクリボンカセット１０に振動が加えられた場合であっても、インクリボン３０にバックテンション（テンション）が付与される。すなわち、バネ部材１３（１３ａ，１３ｂ）の伸縮により、巻出しスプール１４には巻出し方向と逆方向の回転力が付与され、巻取りスプール１７には巻取り方向の回転力が付与される。その結果、インクリボン３０は、巻出しスプール１４側と巻取りスプール１７側とが互いに逆向きに引っ張られ、それによってインクリボン３０の弛みが抑制される。したがって、巻緩みを取らずにプリンタ２０（図２参照）に装着することができるようになる。
【００３７】
図６は、本実施形態のインクリボンカセット１０をプリンタに装着した状態を示す概略の平面図である。
図６に示すように、インクリボンカセット１０をプリンタに装着すると、プリンタ側の嵌合解除部材２８がカセットケース１１から突出していた巻出しスプール１４の端部を押し込み、バネ部材１３ａを圧縮する。すると、リブ１２ａと巻出しギヤ１６との嵌合が解除され、巻出しスプール１４の自由な回転が可能となる。同様に、プリンタ側の駆動部材２９が巻取りスプール１７を押し込み、バネ部材１３ｂを圧縮してリブ１２ｂと巻取りギヤ１９との嵌合を解除する。そして、駆動部材２９を矢印のように回転駆動させると、巻取りスプール１７が回転してインクリボン３０を巻き取る。
【００３８】
本実施形態のインクリボンカセット１０は、このように、巻出しスプール１４は、傾斜角を有する巻出しギヤ１６を有し、巻取りスプール１７は、巻出しギヤ１６と逆向きの傾斜角を有する巻取りギヤ１９を有している。そして、バネ部材１３ａの付勢によって巻出しギヤ１６とリブ１２ａとが嵌合し、巻出しスプール１４に巻出し方向と逆方向の回転力が付与され、バネ部材１３ｂの付勢によって巻取りギヤ１９とリブ１２ｂとが嵌合し、巻取りスプール１７に巻取り方向の回転力が付与される。そのため、輸送時の振動等によってカセットケース１１内でインクリボン３０が巻き緩むように作用したとしても、インクリボン３０に弛みが発生することはなく、プリンタ２０に装着するに際し、インクリボン３０を損傷することはない。また、プリンタ２０に装着されると、リブ１２ａ（リブ１２ｂ）と巻出しギヤ１６（巻取りギヤ１９）との嵌合が解除され、印画が可能となる。
【００３９】
以上、本発明の実施形態について説明したが、本発明は、上記の実施形態に限定されることなく、例えば以下のような種々の変形等が可能である。
（１）本実施形態では、巻出しスプール１４及び巻取りスプール１７に、インクリボン３０を案内する一対のフランジ１５（１５ａ，１５ｂ）を設け、巻出しギヤ１６及び巻取りギヤ１９は、このフランジ１５（１５ａ，１５ｂ）の一方に形成した。しかし、巻出しギヤ１６及び巻取りギヤ１９は、巻出しスプール１４及び巻取りスプール１７の端面に形成することもできる。
【００４０】
（２）カセットケース１１に形成するリブ１２（１２ａ，１２ｂ）は、巻出しギヤ１６及び巻取りギヤ１９と嵌合する位置であれば良く、その形成位置は、何ら特定されるものではない。また、リブ１２（１２ａ，１２ｂ）は、巻出しギヤ１６及び巻取りギヤ１９と嵌合する形状であれば良く、その形状は、何ら特定されるものではない。
【００４１】
（３）バネ部材１３（１３ａ，１３ｂ）は、巻出しギヤ１６及び巻取りギヤ１９をそれぞれリブ１２（１２ａ，１２ｂ）に嵌合させるように付勢するものであれば良く、バネ部材１３（１３ａ，１３ｂ）の取付け位置や形状は、何ら特定されるものではない。
【図面の簡単な説明】
【００４２】
【図１】本実施形態のインクリボンカセットの外観を示す斜視図である。
【図２】本実施形態のインクリボンカセットを装着する昇華型熱転写記録方式のプリンタの外観を示す斜視図である。
【図３】本実施形態のインクリボンカセットを装着したプリンタの内部を示す概略の側面図である。
【図４】本実施形態のインクリボンカセットの内部を示す平面図である。
【図５】インクリボンカセットにおける巻出しギヤの傾斜角θ及び巻取りギヤの傾斜角θ’とインクリボンの巻緩みとの関係を示す表である。
【図６】本実施形態のインクリボンカセットをプリンタに装着した状態を示す概略の平面図である。
【符号の説明】
【００４３】
１０  インクリボンカセット
１１  カセットケース
１２（１２ａ，１２ｂ）  リブ
１３（１３ａ，１３ｂ）  バネ部材
１４  巻出しスプール
１５（１５ａ，１５ｂ）  フランジ
１６  巻出しギヤ
１７  巻取りスプール
１８（１８ａ，１８ｂ）  フランジ
１９  巻取りギヤ
２０  プリンタ
３０  インクリボン
【図１】
2006315273.tif 000003
【図２】
2006315273.tif 000004
【図３】
2006315273.tif 000005
【図４】
2006315273.tif 000006
【図５】
2006315273.tif 000007
【図６】
2006315273.tif 000008